(57)【要約】【課題】電解水生成装置の電解運転途中に、原水または被電解水の供給流量を調整する流量調整弁１６ｃが作動不良に陥った場合に、流量調整弁１６ｃが作動不良に陥った原因を的確に確認して、各原因に応じて、流量調整弁１６ｃの作動不良に対処することにある。【解決手段】電解槽に供給される被電解水または被電解水を調製する原水の供給流量を調整する流量調整弁１６ｃ、および、被電解水または被電解水を調製する原水の供給流量を検出する流量検出手段１６ｂを備え、流量検出手段１６ｂから出力さる流量検出信号に基づいて流量調整弁１６ｃを制御して、電解槽１０に供給される被電解水の供給流量を予め設定された供給流量に調整するようにした電解水生成装置の電解運転方法であり、流量検出手段１６ｂから検出された供給流量に予め設定された異常な流量変化が認められた場合には、電解運転を停止しまたは警告を発生させるようにする。【選択図】    図１
2009112981.tif 000002
【特許請求の範囲】
【請求項１】
電解槽に供給される被電解水または被電解水を調製する原水の供給流量を調整する流量調整弁、および、被電解水または被電解水を調製する原水の供給流量を検出する流量検出手段を備え、前記流量検出手段から出力さる流量検出信号に基づいて前記流量調整弁を制御して、前記電解槽に供給される被電解水の供給流量を予め設定された供給流量に調整するようにした電解水生成装置の電解運転方法であり、前記流量検出手段から検出された供給流量に予め設定された異常な流量変化が認められた場合には、電解運転を停止しまたは警告を発生させることを特徴とする電解水生成装置の電解運転方法。
【請求項２】
請求項１に記載の電解運転方法において、被電解水または被電解水を調製する原水の供給流量の異常な流量変化とは、供給流量に変化がなくて供給流量が一定の場合、または、供給流量の流量変化が予め設定された範囲にあって供給流量が一定に近似する場合であることを特徴とする電解水生成装置の電解運転方法。
【請求項３】
電解槽に供給される被電解水または被電解水を調製する原水の供給流量を調整する流量調整弁、および、被電解水または被電解水を調製する原水の供給流量を検出する流量検出手段を備え、前記流量検出手段から出力される流量検出信号に基づいて前記流量調整弁を制御して、前記電解槽に供給される被電解水の供給流量を予め設定された供給流量に調整するようにした電解水生成装置の電解運転方法であり、前記流量検出手段から検出される供給流量の流量変化が予め設定された範囲にあって供給流量が一定に近似する場合には、電解運転を一旦停止し、予め設定された所定時間経過後に電解運転を再開することを特徴とする電解水生成装置の電解運転方法。
【請求項４】
請求項３に記載の電解運転方法において、電解運転を停止する所定時間とは、前記流量調整弁の駆動に起因するモータ駆動部の加熱温度が正常な温度に低下するまでの時間であることを特徴とする電解水生成装置の電解運転方法。
【請求項５】
電解槽に供給される被電解水または被電解水を調製する原水の供給流量を調整する流量調整弁、および、被電解水または被電解水を調製する原水の供給流量を検出する流量検出手段を備え、前記流量検出手段から出力される流量検出信号に基づいて前記流量調整弁を制御して、前記電解槽に供給される被電解水の供給流量を予め設定された供給流量に調整するようにした電解水生成装置の電解運転方法であり、当該電解水生成装置は前記流量調整弁を構成するモータ駆動部の温度を検出する温度検出手段を備え、前記温度検出手段から検出される温度が予め設定された加熱温度の範囲にある場合には、電解運転を一旦停止し、その後に電解運転を再開することを特徴とする電解水生成装置の電解運転方法。
【請求項６】
請求項５に記載の電解運転方法において、電解運転を一旦停止する時間は、前記流量調整弁の駆動に起因するモータ駆動部の加熱温度が正常な温度に低下するまでの予め設定された時間であることを特徴とする電解水生成装置の電解運転方法。
【請求項７】
請求項５に記載の電解運転方法において、電解運転を一旦停止した後所定時間経過した時点で検出される前記モータ駆動部の温度が正常な温度に低下している場合には電解運転を再開し、前記モータ駆動部の温度が正常な温度に低下していない場合には電解運転を停止することを特徴とする電解水生成装置の電解運転方法。
【発明の詳細な説明】
【技術分野】
【０００１】
本発明は、電解水生成装置に関する。
【背景技術】
【０００２】
電解水生成装置の一形式として、電解槽に供給される被電解水または被電解水を調製する原水の供給流量を調整する流量調整弁、および、被電解水の供給流量または被電解水を調製する原水を検出する流量検出手段を備え、前記流量検出手段から出力される流量検出信号に基づいて前記流量調整弁を制御して、前記電解槽に供給される被電解水の供給流量を予め設定された供給流量に調整するようにした電解水生成装置がある。当該形式の電解水生成装置においては、電解運転中、電解槽に供給される被電解水の供給流量が予め設定された流量に調整されることによって、予め設定された電解条件での電解運転が可能となって、予め設定された特性の電解生成水を生成することができる（特許文献１を参照）。
【０００３】
当該形式の電解水生成装置で一般に採用されている流量調整弁は、電動モータを駆動源とする流量調整弁であり、制御装置は流量検出手段から出力される流量検出信号に基づいて電動モータを駆動して、流量調整弁を構成する弁部を全開および全閉状態に繰返し動作させることによって、電解槽内に供給される被電解水の供給流量を予め設定された流量に調整するものである。なお、当該流量調整弁の保護手段として、弁が全開および全閉の状態では、流量調整弁の内部のリミッタがこれを検知してモータ駆動部へ通電する手段を備えている。
【特許文献１】特開平１０−５７９６１号公報
【発明の開示】
【発明が解決しようとする課題】
【０００４】
ところで、当該形式の電解水生成装置においては、電解途中に当該流量調整弁が作動不良に陥いった場合には、電解槽内へ供給される被電解水の供給流量を調整することがでず、設定された電解条件での被電解水の電解が不可能になって、設定された特性の電解生成水を生成することができなくなる。このため、当該形式の電解水生成装置の電解運転途中に、流量調整弁に作動不良が発生した場合には、これに対する対策が必要となる。
【０００５】
当該流量調整弁が作動不良に陥る原因の第１としては、流量調整弁を構成するモータ駆動部が故障する場合を挙げることができる。この場合には、弁部を動作させるモータが駆動せず、弁部が動作し得なくなって全閉状態または全開状態を呈して、電解槽内へ供給される被電解水の流量は零、または、流量調整弁が許容する最大流量となって、電解槽内へ供給される被電解水の供給流量を調整することができなくなる。
【０００６】
当該流量調整弁が作動不良に陥る原因の第２としては、流量調整弁を構成する弁部に異物が混入する等、弁部に外部から力が付与される場合を挙げることができる。この場合は、モータは駆動状態にあるが弁部が開閉動作し得ないことになるが、弁部に混入した異物が排出される等、弁部に対する外部からの力が除去された場合には、当該流量調整弁の作動は復帰することになる。
【０００７】
従って、本発明の目的は、当該形式の電解水生成装置の電解運転途中における流量調整弁が作動不良に陥った原因を的確に確認して、電解水生成装置の電解運転において、上記した各原因に応じて、流量調整弁の作動不良に対処することにある。
【課題を解決するための手段】
【０００８】
本発明は、電解水生成装置の電解運転方法に関する。本発明が電解運転の対象とする電解水生成装置は、電解槽に供給される被電解水または被電解水を調製する原水の供給流量を調整する流量調整弁、および、被電解水または被電解水を調製する原水の供給流量を検出する流量検出手段を備え、前記流量検出手段から出力される流量検出信号に基づいて前記流量調整弁を制御して、前記電解槽に供給される被電解水の供給流量を予め設定された供給流量に調整するようにした形式の電解水生成装置である。
【０００９】
しかして、本発明に係る第１の電解運転方法は、前記流量検出手段から検出された供給流量に予め設定された異常な流量変化が認められた場合には、電解運転を停止しまたは警告を発生させることを特徴とするものである。当該電解運転方法にあって、被電解水または被電解水を調製する原水の供給流量の異常な流量変化とは、供給流量に変化がなくて供給流量が一定の場合、または、供給流量の流量変化が予め設定された範囲にあって供給流量が一定に近似する場合であるとする。また、供給流量に変化がなくて供給流量が一定の場合とは、供給流量が零の場合も含む。
【００１０】
また、本発明に係る第２の電解運転方法は、前記流量検出手段から検出される供給流量の流量変化が予め設定された範囲にあって供給流量が一定に近似する場合には、電解運転を一旦停止し、予め設定された所定時間経過後に電解運転を再開することを特徴とするものである。当該電解運転方法にあって、電解運転を停止する所定時間とは、前記流量調整弁の駆動に起因するモータ駆動部の加熱温度が正常な温度に低下するまでの時間であることする。
【００１１】
また、本発明に係る第３の電解運転方法は、上記した形式の電解水生成装置であって前記流量調整弁を構成するモータ駆動部の温度を検出する温度検出手段を備える電解水生成装置を電解運転の対象するもので、前記温度検出手段から出力される温度が予め設定された加熱温度の範囲にある場合には、電解運転を一旦停止し、その後に電解運転を再開することを特徴とするものである。
【００１２】
当該電解運転方法において、電解運転を一旦停止する時間として、前記流量調整弁の駆動に起因するモータ駆動部の加熱温度が正常な温度に低下するまでの予め設定された時間とすることができる。また、当該電解運転方法においては、電解運転を一旦停止した後所定時間経過した時点で検出される前記モータ駆動部の温度が正常な温度に低下している場合には電解運転を再開し、前記モータ駆動部の温度が正常な温度に低下していない場合には電解運転を完全に停止するようにすることができる。
【発明の効果】
【００１３】
本発明に係る第１の電解運転方法においては、流量調整弁の作動不良を、被電解水または被電解水を調製する原水の異常な流量変化、例えば、供給流量に変化がなくて供給流量が一定の場合（零の場合を含む）や、供給流量の流量変化が予め設定された範囲にあって供給流量が一定に近似する場合等を確認して、電解途中の電解水生成装置の電解運転を停止するようにしている。流量調整弁の作動不良のこのような確認手段によれば、流量調整弁の作動不良の発生と同期してこれを確認することができるため、設定された電解条件から外れる電解運転による被害を最小限に留めることができるという利点がある。
【００１４】
また、本発明に係る第２の電解運転方法においては、流量調整弁の作動不良を、被電解水または被電解水を調製する原水の異常な流量変化、例えば、供給流量に変化がなくて供給流量が一定の場合や、供給流量の流量変化が予め設定された範囲にあって供給流量が一定に近似する場合等を確認して電解運転を一旦停止し、予め設定された所定時間経過後に電解運転を再開するようにしている。この場合の電解運転を一旦停止する所定時間は、流量調整弁を構成するモータ駆動部の駆動に起因する加熱温度が正常な温度に低下するまでの時間としている。これにより、流量調整弁を構成する弁部に対して外力が付与された場合の電解運転の一旦停止と、外力が消失した場合の電解運転の再開とを的確に行うことができるという利点がある。
【００１５】
また、本発明に係る第３の電解運転方法においては、流量調整弁を構成する弁部の作動不良に陥ったこと、および、作動不良が解消されて正常状態に復帰したことを、モータ駆動部の温度を直接検知することによって行って、弁部が作動不良に陥った場合の電解運転の一旦停止と、作動不良が解消されて正常状態に復帰した場合の電解運転の再開を行うようにしている。これにより、流量調整弁の弁部に対する外力が付与された場合の電解運転の停止と、外力が消失した場合の電解運転の再開とを的確に行うことができるという利点がある。また、当該電解運転方法においては、電解運転の再開に当たって、モータ駆動部の温度を再度検知して、流量調整弁の弁部の作動不良の有無の確認を再度するようにすることができ、これにより、電解運転を一旦停止した後所定時間経過しても弁部の作動不良が解消されない場合には、電解運転の再開を停止するようにすることができる。
【発明を実施するための最良の形態】
【００１６】
本発明は、電解水生成装置の電解運転に関する。本発明が電解運転の対象とする電解水生成装置は、電解槽に供給される被電解水または被電解水を調製する原水の供給流量を調整する流量調整弁、および、被電解水または被電解水を調製する原水の供給流量を検出する流量検出手段を備え、前記流量検出手段から検出される流量検出信号に基づいて前記流量調整弁を制御して、前記電解槽に供給される被電解水の供給流量を予め設定された供給流量に調整するようにした電解水生成装置である。本発明に係る電解運転方法は、流量調整弁に作動不良が発生することを想定したものである。
【００１７】
なお、被電解水を調製する原水とは、高濃度塩水と混合して希薄塩水である被電解水を調製するものであって、被電解水を調製する場合には、高濃度塩水は原水に対してごく少量の割合でかつ略一定量混合される。このため、原水の供給流量を調製することは、被電解水の供給流量を調製することと同等のことであり、また、原水の供給流量を検出することは、被電解水の供給流量を検出することと同等のことである。
【００１８】
図１には、本発明が電解運転の対象とする電解水生成装置の一例を示している。当該電解水生成装置は、食塩の希薄水溶液を被電解水とする有隔膜式の電解水生成装置であって、有隔膜式の電解槽１０、被電解水の調製機構２０、および、電解運転を制御する制御装置３０を備えている。
【００１９】
電解槽１０は、それ自体公知のもので、槽本体１１内は隔膜１２にて一対の区画室に区画されていて、各区画室に電極１３ａ，１３ｂを配設することにより、各区画室は一対の電解室Ｒ1，Ｒ2に形成されている。当該電解槽１０においては、各電解室Ｒ1，Ｒ2の上流側の部位に、被電解水を供給する給水管路１４の分岐管路部が接続され、各電解室Ｒ1，Ｒ2の下流側の部位に、電解生成水を流出させる流出管路１５ａ，１５ｂが接続されている。また、各電解室Ｒ1，Ｒ2内の各電極１３ａ，１３ｂは、電源３１にそれぞれ接続されていて、電解運転時には、電源３１から設定された一定の電圧が印加される。
【００２０】
被電解水の調製機構２０は、飽和食塩水を収容する濃塩水タンク２１と、濃塩水タンク２１と給水管路１４に接続された塩水供給管路２２と、塩水供給管路２２の途中に介装されたポンプ２３およびチェック弁２４を備えている。濃塩水供給管路２１の一端は、濃塩水タンク２１内の中間の部位に延びている。ポンプ２３は、電動モータで駆動される定量ポンプであって、駆動時には、濃塩水タンク２１内の飽和食塩水をチェック弁２４を通して給水管路１４内に圧送すべく機能する。給水管路１４内に圧送された飽和食塩水は、流量を制御されて給水管路１４内を流れる水道水等の原水と混合して、設定された濃度の希薄食塩水を調製する。調製された希薄食塩水は、被電解水として、給水管路１４の各分岐管路部を通して各電解室Ｒ1，Ｒ2に供給される。
【００２１】
当該電解水生成装置においては、給水管路１４における塩水供給管路２２の接続部位より上流側の部位に、給水弁１６ａ、流量センサ１６ｂ、流量調整弁１６ｃが介装されている。給水弁１６ａは、常閉型の電磁開閉弁であって、制御装置３０によって開閉制御される。給水弁１６ａは、当該電解水生成装置を電解運転する際には開成されて、給水管路１４内に原水を導入し、電解運転を停止した際には閉成されて、給水管路１４内への原水を導入を停止する。流量センサ１６ｂは、給水管路１４内を流れる原水の流量を検出する流量検出手段であって、検出した流量を検出信号として制御装置３０に出力する。
【００２２】
制御装置３０は、流量センサ１６ｂから出力する検出信号に基づいて流量調整弁１６ｃを作動して、給水管路１４内を流れる原水の流量を設定された流量に調整して、被電解水の塩濃度を設定された濃度に制御する。なお、当該流量調整弁１６ｃは、電動モータを駆動源とする自動流量調整弁であって、制御装置は流量センサから出力される流量検出信号に基づいて電動モータを駆動して、流量調整弁１６ｃを構成する弁部の全開および全閉状態を繰返し行うことによって、原水の下流側への流量を調整するものである。
【００２３】
また、当該電解水生成装置においては、電源３１と各電極１３ａ，１３ｂを接続する接続回路の一方に、電解運転時の電解槽１０内の電解電流を検出する電流センサ３２を備えていて、電流センサ３２は、検出した電解電流値を検出信号をとして制御装置３０に出力する。制御装置３０は、電流センサ３２から出力する検出信号に基づいてポンプ２３の駆動を制御して、ポンプ２３から吐出される濃塩水の吐出流量を調整し、調整された原水とともに、被電解水の塩濃度を設定された濃度に調整する。
【００２４】
当該電解水生成装置の電解運転は、制御装置３０による上記した制御によって行われ、電解槽１０では設定された一定の電解条件の下で有隔膜電解が行われ、各電解室Ｒ1，Ｒ2内では、設定された特性の電解生成酸性水および電解生成アルカリ性水がそれぞれ生成される。しかして、本発明に係る電解運転方法は、流量調整弁１６ｃに作動不良が発生することを想定して、流量調整弁１６ｃの作動不良に対処するものである。
【００２５】
当該流量調整弁１６ｃに作動不良が発生する原因の第１としては、流量調整弁１６ｃを構成するモータ駆動部が故障する場合を挙げることができる。この場合には、弁部を動作させるモータが駆動せず、弁部が動作し得なくなって全閉状態または全開状態を呈することになり、電解槽１０へ供給される被電解水の供給流量を調整することができない状態に陥る。また、当該流量調整弁１６ｃが作動不良に陥る原因の第２としては、流量調整弁１６ｃを構成する弁部に異物が混入する等、弁部に外部から力が付与される場合を挙げることができる。この場合は、モータは駆動状態にあるが弁部が開閉動作し得ないことになり、弁部に混入した異物が排出される等、弁部に対する外部からの力が除去された場合には、当該流量調整弁１６ｃの作動が正常に復帰することになる。
【００２６】
本発明に係る第１の電解運転方法においては、流量調整弁１６ｃの作動不良を、被電解水または被電解水を調製する原水の異常な流量変化、例えば、供給流量に変化がなくて供給流量が一定の場合（零の場合を含む）や、供給流量の流量変化が予め設定された範囲にあって供給流量が一定に近似する場合等を確認して、電解途中の電解水生成装置の電解運転を停止するようにしている。本発明に係る実施形態では、原水の供給流量を検出する流量センサ１６ｂを採用し、また、原水の供給流量を調整する流量調整弁１６ｃを採用している。流量調整弁１６ｃの作動不良確認するこのような確認手段によれば、流量調整弁１６ｃの作動不良状態を、作動不良の発生と同期して確認することができるため、設定された電解条件から外れる電解運転による被害を最小限に留めることができるという利点がある。
【００２７】
本発明に係る第１の電解方法は、主として、流量調整弁１６ｃを構成するモータ駆動部の故障によってモータが駆動停止して、流量調整弁１６ｃを構成する弁部が全閉または全開状態にあることを想定している。この場合の原水の供給流量は、零、または、過剰量な一定流量となって出現する。
【００２８】
また、本発明に係る第２の電解運転方法においては、流量調整弁１６ｃの作動不良を、原水の異常な流量変化、例えば、原水の供給流量に変化がなくて供給流量が一定の場合や、供給流量の流量変化が予め設定された範囲にあって供給流量が一定に近似する場合等を確認して電解運転を一旦停止し、予め設定された所定時間経過後に電解運転を再開するようにしている。この場合の電解運転を停止する所定時間は、流量調整弁１６ｃを構成するモータ駆動部の駆動に起因する同駆動部の加熱温度が正常な温度に低下するまでの時間としている。これにより、流量調整弁１６ｃの弁部に対して外力が付与された場合の電解運転の一旦停止と、外力が消失した場合の電解運転の再開とを的確に行うことができるという利点がある。
【００２９】
本発明に係る第２の電解運転方法は、流量調整弁１６ｃの弁部に異物等が混入して弁部が作動不良の状態にることを想定している。この場合には、モータ駆動部のモータは駆動を継続し、モータ駆動部は加熱されて漸次温度を上昇させる。このため、モータ駆動部の加熱温度が正常な温度に低下すれば、弁部に対する外力（異物の混入等）が解消されたものと判断され、モータ駆動部の加熱温度が正常な温度に低下する時間を予め知っておいて、この時間を所定時間として設定している。
【００３０】
また、本発明に係る第３の電解運転方法においては、流量調整弁１６ｃを構成する弁部の作動不良に陥ったこと、および、作動不良が解消されて正常状態に復帰したことを、モータ駆動部の温度を直接検知することによって行って、弁部が作動不良に陥った場合の電解運転の一旦停止と、作動不良が解消されて正常状態に復帰した場合の電解運転の再開を行うようにしている。これにより、流量調整弁１６ｃの弁部に対する外力が付与された場合の電解運転の一旦停止と、外力が消失した場合の電解運転の再開とを的確に行うことができる。
【００３１】
当該電解運転方法も、第２の電解運転方法と同様、流量調整弁１６ｃの弁部に異物等が混入して弁部が作動不良の状態にることを想定しているが、当該電解運転方法では、流量調整弁１６ｃの作動不良の発生を、モータ駆動部の温度を直接検知することにより確認することができるという利点がある。
【００３２】
当該電解水生成装置の電解運転は、制御装置３０によって制御され、特に、流量調整弁１６ｃに作動不良が発生した場合には、当該制御装置３０は、本発明に係る各電解運転方法を実施する電解運転制御プログラムを、図２〜図４に示すフローチャートに基づいて実行する。
【００３３】
図２に示すフローチャートは、本発明に係る第１の電解運転方法を実施する電解運転制御プログラムを実行するフローチャートであり、制御装置３０は、当該電解水生成装置の電解運転の途中においては、ステップ１０１にて、流量センサ１６ｂにて検出される原水の流量に、流量が零を含む一定または一定に近似するごとき異常な流量変化が有るものと判定した場合には、ステップ１０２にて電解運転を停止し、異常な流量変化が無いものと判定した場合には、ステップ１０３にて電解運転を継続して、制御プログラムをステップ１０１に戻す。
【００３４】
制御装置３０による当該電解運転制御は、流量調整弁１６ｃを構成するモータ駆動部の故障によってモータが駆動停止して、流量調整弁１６ｃを構成する弁部が全閉または全開状態にあることを想定している。このため、流量調整弁１６ｃにこのような作動不良が発生した場合には、流量調整弁１６ｃの作動不良を原水の流量変化の異常状態に基づいて確認するものであり、流量調整弁１６ｃの作動不良の発生と同期してその作動不良を確認することができるため、設定された電解条件から外れる電解運転による被害を最小限に留めることができる。
【００３５】
図３に示すフローチャートは、本発明に係る第２の電解運転方法を実施する電解運転制御プログラムを実行するためのフローチャートであり、制御装置３０は、当該電解水生成装置の電解運転の途中においては、ステップ２０１にて、流量センサ１６ｂにて検出される原水の流量に、流量が零を含む一定または一定に近似するごとき異常な流量変化が有るものと判定した場合には、ステップ２０２にて、電解運転を一旦停止するとともに、所定時間経過後に電解運転を再開する。制御装置３０は、電解運転を再開した後、ステップ２０３にて、原水の供給流量に流量変化の有無を再度を判定し、異常な流量変化が有るものと判定した場合には、ステップ２０４にて電解運転を停止して電解運転を終了し、異常な流量変化が無いものと判定した場合には、ステップ２０５にて電解運転を継続して、制御プログラムをステップ２０１に戻す。また、制御装置３０は、ステップ２０１にて、原水の供給流量に異常な流量変化が無いものと判定した場合には、ステップ２０５にて電解運転を継続し、制御プログラムをステップ２０１に戻す。
【００３６】
制御装置３０による当該電解運転制御は、流量調整弁１６ｃの弁部に異物等が混入して弁部が作動不良の状態にることを想定している。この場合には、モータ駆動部のモータは駆動を継続し、モータ駆動は加熱されて漸次温度を上昇させる。このため、モータ駆動部の加熱温度が正常な温度に低下すれば、弁部に対する外力（異物の混入等）が解消されたものと判断され、モータ駆動部の加熱温度が正常な温度に低下する時間を予め測定しておいて、この時間を所定時間として設定している。これにより、流量調整弁１６ｃの弁部に対して外力が付与された場合の電解運転の一旦停止と、外力が消失した場合の電解運転の再開とを的確に行うことができる。
【００３７】
図４に示すフローチャートは、本発明に係る第３の電解運転方法を実施する電解運転制御プログラムを実行するためのフローチャートであり、制御装置３０は、当該電解水生成装置の電解運転の途中においては、ステップ３０１にてモータ駆動部の異常加熱の有無を判定し、モータ駆動部に異常加熱が有るものと判定した場合には、ステップ３０２にて電解運転を一旦停止し、所定時間経過後に、ステップ３０３にて、再度モータ駆動部の異常加熱の有無を判定する。制御装置３０は、ステップ３０３にてモータ駆動部に異常加熱が有るものと判定した場合には、ステップ３０４にて電解運転を停止し、モータ駆動部に異常加熱が無いものと判定した場合には、ステップ３０５にて電解運転を再開して、制御プログラムをステップ３０１に戻す。また、制御装置３０は、ステップ３０１にて、モータ駆動部に異常加熱が無いものと判定した場合には電解運転を継続し（ステップ３０６）、制御プログラムをステップ３０１に戻す。
【００３８】
制御装置３０による当該電解運転制御は、第２の電解運転方法と同様、流量調整弁１６ｃの弁部に異物等が混入して弁部が作動不良の状態になることを想定しているが、第２の電解運転方法と異なる点は、当該電解運転制御では、流量調整弁１６ｃの作動不良の発生を、これに起因するモータ駆動部の加熱状態を検出して直接確認している点にある。
【図面の簡単な説明】
【００３９】
【図１】本発明が電解運転の対象とする電解水生成装置の一例を示す概略構成図である。
【図２】本発明に係る第１の電解運転方法を実施する電解運転制御プログラムを実行するためのフローチャートである。
【図３】本発明に係る第２の電解運転方法を実施する電解運転制御プログラムを実行するためのフローチャートである。
【図４】本発明に係る第３の電解運転方法を実施する電解運転制御プログラムを実行するためのフローチャートである。
【符号の説明】
【００４０】
１０…電解槽、１１…槽本体、１２…隔膜、１３ａ，１３ｂ…電極、１４…給水管路、１５ａ，１５ｂ…流出管路、１６ａ…給水弁、１６ｂ…流量センサ、１６ｃ…流量調整弁、Ｒ1，Ｒ2…電解室、２０…被電解水の調製機構、２１…濃塩水タンク、２２…塩水供給管路、２３…ポンプ、２４…チェック弁、
３０…制御装置、３１…電源、３２…流量センサ。
【図１】
2009112981.tif 000003
【図２】
2009112981.tif 000004
【図３】
2009112981.tif 000005
【図４】
2009112981.tif 000006